(57)【要約】【課題】点字鋲取り付け作業の施工性および作業効率を改善することが可能な点字鋲受具を提供する。【解決手段】点字鋲との間でタイルカーペットを挟み込む点字鋲受具１０であって、複数整列して配置され、点字鋲が係合して取り付けられる穴部１３ａが形成された筒部１３と筒部１３の下部に形成された鍔部１４とを備える取付部１１と、隣り合う取付部１１の鍔部１４同士を相互に連結するシート状の連結部１２とが一体に形成されて構成されている。【選択図】図２
2008301924.tif 000002
【特許請求の範囲】
【請求項１】
点字鋲との間でタイルカーペットを挟み込む点字鋲受具であって、
複数整列して配置され前記点字鋲が係合して取り付けられる取付部と、少なくとも隣り合う前記取付部同士を相互に連結するシート状の連結部とが一体に形成されたことを特徴とする点字鋲受具。
【請求項２】
前記連結部は、少なくとも一部に粘着層が設けられていることを特徴とする請求項１に記載の点字鋲受具。
【請求項３】
前記取付部は、下部に鍔部が形成されていることを特徴とする請求項１または請求項２に記載の点字鋲受具。
【請求項４】
請求項１から請求項３のいずれか１項に記載の点字鋲受具と、
前記点字鋲受具の取付部と対応する位置に貫通孔が設けられたタイルカーペットと、
前記点字鋲受具との間で前記タイルカーペットを挟み込むようにして前記取付部に取り付けられる複数の点字鋲とを備えることを特徴とするタイルカーペット構造体。
【請求項５】
請求項１から請求項３のいずれか１項に記載の点字鋲受具を用意する第１工程と、
前記点字鋲受具の取付部とタイルカーペットに設けられた貫通孔との位置合わせを行う第２工程と、
前記点字鋲受具と前記タイルカーペットを重ね合わせる第３工程と、
前記取付部に点字鋲を取り付ける第４工程とを含むことを特徴とするタイルカーペット構造体の施工方法。
【発明の詳細な説明】
【技術分野】
【０００１】
本発明は、点字鋲受具、このような点字鋲受具を備えるタイルカーペット構造体およびその施工方法に関する。
【背景技術】
【０００２】
従来、デパート、ホテル、病院などの建造物の床面に敷設されたカーペットやマットなどに視覚障害者誘導用のマーカーを設けるため、突起部が設けられた床材やタイルに、貫通孔が形成されたカーペットやマットを重ね合わせた視覚障害者誘導用カーペット（特許文献１参照）やガイドマット構造体（特許文献２参照）が利用されることがある。
【０００３】
このような視覚障害者誘導用カーペットやガイドマット構造体は、容易に施工することができるが、カーペットやマットが位置ずれしやすいため実用性に問題があった。また、突起部が設けられた床材やタイルは、屋外に敷設されるいわゆる点字ブロックとほぼ同様のものであるため、材料コストが高くなるとともに、施工時に大量に持ち運ぶのにも不便であった。
【０００４】
そこで、例えば、特許文献３には、カーペットやマットの裏面に配置される固定具と、カーペットやマットの表面に配置される点字鋲本体とからなり、固定具と点字鋲本体の相互にカーペットやマットを貫通して互いに嵌着される筒状ボスと挿入突起とからなる固定手段を設けた床用点字鋲が開示されている。
【０００５】
このような点字鋲によれば、カーペットやマットを点字鋲本体と固定具で挟み込むため、床面に設置された後に、点字鋲とカーペットやマットとが位置ずれしないという利点を有する。
【０００６】
【特許文献１】特開平７−１７１１７７号公報（図５）
【特許文献２】特開２００１−１３７２７７号公報（図９〜図１２）
【特許文献３】特開２００３−６４６２７号公報（図２〜図５）
【発明の開示】
【発明が解決しようとする課題】
【０００７】
しかし、前記したような従来の点字鋲、特に固定具は、カーペットやマットに１個ずつ取り付ける必要があるため、施工に非常に手間がかかるという問題があった。また、カーペットやマットの裏面に固定具を複数整列した後、表面から点字鋲本体を取り付けていくという作業の途中で固定具が脱落したり、位置ずれしたりしてしまい作業効率が悪いという問題があった。
【０００８】
そこで、本発明は、点字鋲取り付け作業の施工性および作業効率を改善することが可能な点字鋲受具を提供することを目的とする。また、本発明は、このような点字鋲受具を備えるタイルカーペット構造体およびその施工方法を提供することを目的とする。
【課題を解決するための手段】
【０００９】
前記した目的を達成するため、本発明の点字鋲受具は、点字鋲との間でタイルカーペットを挟み込む点字鋲受具であって、複数整列して配置され前記点字鋲が係合して取り付けられる取付部と、少なくとも隣り合う前記取付部同士を相互に連結するシート状の連結部とが一体に形成されたことを特徴とする。
【００１０】
このように構成された点字鋲受具によれば、点字鋲が取り付けられる取付部が連結部を介して相互に連結されているため、タイルカーペットに取付部を複数まとめて取り付けることができる。また、取付部が整列して連結されているため、取付部が個別に位置ずれするということがなく、精度よく点字鋲を配置することができる。
【００１１】
ここで、本発明における「タイルカーペット」とは、例えば、デパート、ホテル、病院などの建造物の床面に敷設されるタイル状の敷物をいい、いわゆるカーペットだけではなく、絨毯、マット、ラグなどを含む。
【００１２】
また、本発明の点字鋲受具は、前記連結部の少なくとも一部に粘着層が設けられていることを特徴とする。
【００１３】
このように構成された点字鋲受具によれば、粘着層によってカーペットやマットの裏面に点字鋲受具を仮固定することができるため、作業の途中で取付部が脱落しないとともに、位置ずれも抑制することができる。
【００１４】
また、本発明の点字鋲受具は、前記取付部の下部に鍔部が形成されていることを特徴とする。
【００１５】
このように構成された点字鋲受具によれば、点字鋲と鍔部との間でカーペットやマットなどを広い面積で挟み込むように強固に固定することができるため、施工後におけるカーペットやマットなどの位置ずれを防止することができ、実用性を向上させることができる。
【００１６】
また、本発明は、前記点字鋲受具と、前記点字鋲受具の取付部と対応する位置に貫通孔が設けられたタイルカーペットと、前記点字鋲受具との間で前記タイルカーペットを挟み込むようにして前記取付部に取り付けられる複数の点字鋲とを備えたタイルカーペット構造体として構成することができる。
【００１７】
さらに、本発明は、前記点字鋲受具を用意する第１工程と、前記点字鋲受具の取付部とタイルカーペットに設けられた貫通孔との位置合わせを行う第２工程と、前記点字鋲受具と前記タイルカーペットを重ね合わせる第３工程と、前記取付部に点字鋲を取り付ける第４工程とを含むタイルカーペット構造体の施工方法として構成することができる。
【発明の効果】
【００１８】
本発明の点字鋲受具によれば、点字鋲取り付け作業の施工性および作業効率を改善することができる。また、本発明のタイルカーペット構造体およびその施工方法によっても、点字鋲取り付け作業の施工性および作業効率を改善することができる。
【発明を実施するための最良の形態】
【００１９】
次に、本発明の実施形態について、適宜図面を参照しながら詳細に説明する。参照する図面において、図１はタイルカーペット構造体を示す分解斜視図であり、図２は点字鋲受具の一部を示す斜視図である。図３（ａ）は点字鋲受具を示す平面図であり、（ｂ）は点字鋲受具を示す側面図である。図４（ａ）はタイルカーペット構造体の一部を分解した状態を示す部分断面図であり、（ｂ）はタイルカーペット構造体の一部を示す部分断面図である。なお、以下の説明においては、敷設されたときに床面を向く側を裏側とし、反対側を表側とする。
【００２０】
図１に示すように、タイルカーペット構造体１は、点字鋲受具１０と、複数の貫通孔２０ａが形成されたタイルカーペット２０と、複数の点字鋲３０とを備えて構成されている。
【００２１】
点字鋲受具１０は、図２に示すように、取付部１１と連結部１２が一体に形成されて構成されている。
取付部１１は、略円筒状の筒部１３と、筒部１３の下部に形成された円形状の鍔部１４とから構成されている。
【００２２】
筒部１３には、上面から下面に貫通する穴部１３ａが形成されている（図４参照）。この穴部１３ａに、後述する点字鋲３０の脚部３２が嵌め込まれて係合することで、点字鋲３０が取付部１１に取り付けられ固定される。なお、穴部１３ａは貫通孔ではなく凹部であってもよい。
【００２３】
連結部１２は、取付部１１と一体に形成され、隣り合う取付部１１同士を連結している。より詳細には、連結部１２は、取付部１１の鍔部１４と、隣り合う取付部１１の鍔部１４とを相互に連結している。なお、鍔部１４および連結部１２は、図３（ｂ）に示すように、同じ厚さ寸法でシート状に形成されている。
【００２４】
また、一部の連結部１２、具体的には、図３（ａ）に示すように、連結部１２によって構成される列Ｒ１〜Ｒ５のうち、列Ｒ１，Ｒ３，Ｒ５上に位置する連結部１２の上面に粘着層１５が形成されている。このような粘着層１５は、連結部１２の上面に、例えば、両面テープを貼り付けて形成してもよいし、粘着剤を塗布して形成してもよい。なお、施工時において十分な粘着性を発揮させるため、粘着層１５の上には施工時まで剥離シート（図示せず）を貼り付けておくことが望ましい。
【００２５】
以上のような構成を備える本実施形態の点字鋲受具１０は、図３（ａ）に示すように、取付部１１が５×５の格子状に整列して配置され、隣り合う取付部１１の鍔部１４同士を短冊形状の連結部１２が相互に連結した平面視網目形状として構成されている。
【００２６】
このような点字鋲受具１０は、耐衝撃性に優れた樹脂材料や金属材料から形成されることが望ましく、例えば、ポリプロピレン、ポリエチレンなどのオレフィン系樹脂から形成することができる。
【００２７】
タイルカーペット２０は、建造物の床面にタイル状に敷設されるカーペットであり、図４（ａ）に示すように、基層２１と、表側の面となる繊維層２２とを備え、少なくとも前記した点字鋲受具１０よりも大きな寸法で形成されている（図１参照）。このタイルカーペット２０には、点字鋲受具１０の取付部１１と対応した位置に筒部１３を嵌め込むことができる寸法（直径）の円形状の貫通孔２０ａが複数形成されている（図４では１つのみ図示）。
【００２８】
このような貫通孔２０ａに、タイルカーペット２０の裏側から点字鋲受具１０の筒部１３を挿入し、タイルカーペット２０の表側から後述する点字鋲３０を取り付けることで、タイルカーペット２０は、点字鋲受具１０と点字鋲３０との間に挟まれた状態で固定されることとなる。
【００２９】
点字鋲３０は、図４（ａ）に示すように、表側が凸状となる円錐台形状の点字鋲本体３１と、点字鋲本体３１の裏側中央から下方へ伸びる脚部３２と、点字鋲本体３１の裏側に形成された２つの突起部３３とから構成されている。このような点字鋲３０は、例えば、樹脂材料や金属材料、これらを組合せた材料などから形成することができる。
【００３０】
脚部３２は、上から順に、胴部３２ａと、胴部３２ａよりも一回り小径のくびれ部３２ｂと、胴部３２ａと同径の上部からくびれ部３２ｂと同径の下部に向かってテーパ状に形成された抜け止め部３２ｃとを備えて構成されている。この脚部３２が、点字鋲受具１０の筒部１３に形成された穴部１３ａに嵌め込まれて係合することで、点字鋲３０が点字鋲受具１０に取り付けられ固定されるようになっている。このとき、図４（ｂ）に示すように、くびれ部３２ｂが筒部１３の穴部１３ａ内に設けられた凸部１３ｂと係合し、抜け止め部３２ｃの上部が凸部１３ｂに引っ掛かることで、点字鋲３０の抜け止めとして作用する。
【００３１】
２つの突起部３３は、脚部３２を挟んで対向するように配置され、点字鋲３０を取付部１１に取り付けたときに、筒部１３に干渉しない位置、すなわち、筒部１３よりも外側に位置するように形成されている。この突起部３３は、図４（ｂ）に示すように、点字鋲３０が点字鋲受具１０に取り付けられたときに、タイルカーペット２０の繊維層２２に食い込んで点字鋲３０の回転を防止している。また、突起部３３の先端が繊維層２２より固い基層２１に当接することで、基層２１（タイルカーペット２０）が、連結部１２および鍔部１４（点字鋲受具１０）と突起部３３（点字鋲３０）に挟まれた状態で固定される。
【００３２】
次に、以上のように構成された点字鋲受具１０を備えるタイルカーペット構造体１の施工方法について、タイルカーペット構造体１を床面（敷設面）に施工する場合を例に説明する（適宜図４参照）。
【００３３】
まず、点字鋲受具１０を床面に引かれた目印となる線などに合わせて敷設する。なお、この段階で、点字鋲受具１０を両面テープなどで床面に固定してもよい。そして、連結部１２の粘着層１５に貼り付けられた剥離シートを剥がす。
【００３４】
次に、点字鋲受具１０の取付部１１（筒部１３）とタイルカーペット２０に設けられた貫通孔２０ａとの位置合わせを行いつつ、点字鋲受具１０の上にタイルカーペット２０を設置する。これにより、筒部１３が貫通孔２０ａに嵌め込まれ、タイルカーペット２０の裏側と連結部１２とが粘着層１５を介して仮固定されるため、タイルカーペット２０の位置ずれを抑制することができる。
【００３５】
そして、タイルカーペット２０の貫通孔２０ａに嵌め込まれた筒部１３の穴部１３ａに点字鋲３０の脚部３２を嵌め込んで係合し、点字鋲３０を点字鋲受具１０に取り付けていく。このようにして、タイルカーペット構造体１を床面に施工することができる。
【００３６】
また、タイルカーペット構造体１を直接床面に敷設する場合や、一部のタイルカーペット構造体を新しいものに交換する場合は、あらかじめタイルカーペット構造体１を組み立てておく必要がある。この場合、まず、点字鋲受具１０の連結部１２に形成された粘着層１５に貼り付けられた剥離シートを剥がす。
【００３７】
次に、取付部１１（筒部１３）とタイルカーペットの貫通孔２０ａとの位置合わせを行いつつ、点字鋲受具１０の上面とタイルカーペット２０の裏側が向かい合うように重ね合わせる。このとき、筒部１３が貫通孔２０ａに嵌め込まれ、点字鋲受具１０とタイルカーペット２０とが粘着層１５を介して仮固定されるため、作業の途中で取付部１１（点字鋲受具１０）が脱落せず、位置ずれも抑制することができる。
【００３８】
そして、仮固定された点字鋲受具１０とタイルカーペット２０を、タイルカーペット２０の裏側が下を向くように床面などの安定した面に置いて、筒部１３の穴部１３ａに点字鋲３０の脚部３２を嵌め込んで係合し、点字鋲３０を点字鋲受具１０に取り付けていく。
このようにして施工されたタイルカーペット構造体１を床面に敷設する。
【００３９】
このようにして施工されたタイルカーペット構造体１は、図４（ｂ）に示すように、点字鋲受具１０の連結部１２および鍔部１４と、点字鋲３０の点字鋲本体３１（突起部３３）との間で、タイルカーペット２０（基層２１）を挟み込むように固定することができる。特に点字鋲受具１０は鍔部１４を備えているので、広い面積でタイルカーペット２０を挟み込むように強固に固定することができる。これにより、タイルカーペット２０の位置ずれを効果的に防止することができ、タイルカーペット構造体１の実用性を向上させることができる。
【００４０】
以上に説明した本実施形態の点字鋲受具１０によれば、取付部１１の鍔部１４が連結部１２を介して相互に連結されており、タイルカーペット２０に取付部１１を複数まとめて取り付けることができるため、点字鋲取り付け作業の施工性を改善することができる。
【００４１】
また、取付部１１が整列して連結されているので、取付部１１が個別に位置ずれすることなく、精度よく点字鋲３０を配置することができるため、点字鋲取り付けの作業効率を改善することができる。
【００４２】
さらに、基部となる連結部１２（および鍔部１４）が平面視網目形状、かつ、シート状に薄く形成されているため、材料コストを抑えることができるとともに、軽量であるから施工時に大量に持ち運ぶことが容易となる。
【００４３】
以上、本発明の実施形態について説明したが、本発明は前記した実施形態に限定されるものではない。具体的な構成については、本発明の趣旨を逸脱しない範囲で適宜変更が可能である。
【００４４】
前記した実施形態では、取付部１１の筒部１３に形成された穴部１３ａに、点字鋲３０の脚部３２を嵌め込んで係合する構成を示したが、これに限定されるものではない。例えば、取付部の上面に上方へ突出する突出部を設け、対応する凹部を点字鋲の裏側に設けて嵌め込んで係合させる構成としてもよい。また、点字鋲の裏側（または取付部の上面）に係止爪を設けるとともに、取付部の上面（または点字鋲の裏側）に係止爪に係合する係止部を設けて係合させる構成としてもよい。さらに、脚部３２や前記した突出部などに雄ねじ部を設け、穴部１３ａや前記した凹部に雌ねじ部を設けて係合（螺合）させる構成としてもよい。
【００４５】
前記した実施形態では、隣り合う取付部１１同士を連結部１２によって相互に連結する構成を示したが、これに限定されず、例えば、前記した実施形態の構成と併せて（または実施形態の構成に代えて）斜め方向に隣り合う取付部同士を短冊形状の連結部によって相互に連結する構成としてもよい。このような構成を前記した実施形態に追加すれば点字鋲受具の強度を向上させることができる。また、前記した実施形態では、点字鋲受具の平面視形状を網目形状（図３参照）としたが、これに限定されず、例えば、連結部を全てつなげて１枚の連続したシート形状としてもよい。これによっても、点字鋲受具の強度を向上させることができる。
【００４６】
前記した実施形態では、図３に示すように、列Ｒ１，Ｒ３，Ｒ５上に位置する連結部１２の上面に粘着層１５を形成した構成を示したが、粘着層１５を形成する部分は、この部分に限定されるものではない。例えば、列Ｒ２，４上に位置する連結部１２の上面であってもよい。また、粘着層１５は、列上の連結部１２の全て（本実施形態では４つ）に形成する必要はなく、列上の連結部１２の一部（例えば、２つなど）に形成する構成としてもよい。また、図３に示す行Ｃ１〜Ｃ５にも列Ｒ１〜Ｒ５と同様に粘着層を形成してもよい。さらに、連結部１２の上面だけではなく、鍔部１４の上面にも粘着層を形成してもよい。なお、連結部の上面に粘着層を設けない構成としてもよい。
【００４７】
前記した実施形態では、連結部１２の上面に粘着層１５を設けた構成を示したが、これに限定されず、例えば、連結部の下面に粘着層を設けておいてもよい。この場合、粘着層の粘着面に剥離シートを貼り付けておくことが望ましい。
【００４８】
前記した実施形態では、１つの連結部１２の上面の全体に粘着層１５を設けた構成を示したが、これに限定されず、例えば、１つの連結部の上面（および／または下面）の少なくとも一部に粘着層を設ける構成としてもよい。
【００４９】
前記した実施形態では、図２に示すように、取付部１１が筒部１３と鍔部１４とから構成されているが、これに限定されず、例えば、鍔部１４を設けない構成、すなわち、隣り合う筒部１３同士を連結部１２によって相互に連結する構成としてもよい。この場合であっても、本発明によれば、点字鋲受具の連結部と点字鋲との間でタイルカーペットを挟み込むように固定することができる。
【００５０】
前記した実施形態では、図１に示すように、点状の点字鋲３０に本発明を適用した例を示して説明したが、これに限定されず、例えば、図５に示すように、長方形状の点字鋲３０’に本発明を適用することもできる。タイルカーペット構造体１’は、点字鋲受具１０’と、取付部１１に対応する位置に複数の貫通孔２０ａが形成されたタイルカーペット２０’と、複数の長方形状の点字鋲３０’とを備えて構成されている。なお、図５に示す点字鋲受具１０’は、取付部１１が３×４に整列して配置され、隣り合う取付部１１の鍔部１４同士を短冊形状の連結部１２’，１２”が相互に連結した平面視網目形状として構成されている。
【図面の簡単な説明】
【００５１】
【図１】実施形態に係るタイルカーペット構造体を示す分解斜視図である。
【図２】実施形態に係る点字鋲受具の一部を示す斜視図である。
【図３】（ａ）は点字鋲受具を示す平面図であり、（ｂ）は点字鋲受具を示す側面図である。
【図４】（ａ）はタイルカーペット構造体の一部を分解した状態を示す部分断面図であり、（ｂ）はタイルカーペット構造体の一部を示す部分断面図である。
【図５】他の実施形態に係るタイルカーペット構造体を示す分解斜視図である。
【符号の説明】
【００５２】
１      タイルカーペット構造体
１０    点字鋲受具
１１    取付部
１２    連結部
１４    鍔部
１５    粘着層
２０    タイルカーペット
２０ａ  貫通孔
３０    点字鋲
【図１】
2008301924.tif 000003
【図２】
2008301924.tif 000004
【図３】
2008301924.tif 000005
【図４】
2008301924.tif 000006
【図５】
2008301924.tif 000007